(57)【特許請求の範囲】
【請求項１】
底面と天面と、前記底面と前記天面との外周を囲む４方の側面よりなる略直方体形状の枠体を有する照明装置において、前記枠体はマイクロ発泡樹脂製の反射板で形成され、前記枠体の一方の側面にＬＥＤ光源が、１つまたは所定間隔で複数個、前記一方の側面と対向する他方の側面に前記ＬＥＤ光源の発光面が直接対向するように配置され、前記天面は、天面遮蔽部と、相互に離間した光取出し用の複数の天面開口部とで形成され、前記他方の側面は、側面遮蔽部と、複数の側面開口部とで形成され、前記枠体は、前記天面の開口部と前記他方の側面の開口部以外が全て反射板で形成され、前記枠体の内面が前記ＬＥＤ光源の光を前記天面開口部と前記側面開口部に導光する導光空間を形成していることを特徴とするＬＥＤ照明装置。
【請求項２】
前記天面遮蔽部は、外周遮蔽部と開口部間遮蔽部で構成され、前記ＬＥＤ光源は、前記天面開口部の直上からは視認できないように、前記外周遮蔽部の直下に配置され、前記ＬＥＤ光源からの光を前記天面遮蔽部と前記底面に拡散反射させて、前記天面開口部と前記側面開口部に導光することを特徴とする請求項１に記載のＬＥＤ照明装置。
【請求項３】
前記天面遮蔽部は、前記外周遮蔽部と前記開口部間遮蔽部に加えて、さらに開口部内遮蔽部有することを特徴とする請求項２に記載のＬＥＤ照明装置。
【請求項４】
前記外周遮蔽部は、複数の前記天面開口部の全体を囲うように形成され、
前記開口部間遮蔽部は、前記天面開口部同士の間に前記外周遮蔽部に内接するように形成されることを特徴とする請求項２または請求項３に記載のＬＥＤ照明装置。
【請求項５】
前記天面開口部は、複数の図形または複数の文字型であり、前記複数の図形または複数の文字型を照明装置の外部から視認するための加飾用照明であること特徴とする請求項１から請求項４のいずれかに記載のＬＥＤ照明装置。
【請求項６】
複数の前記側面開口部は矩形状に切り欠かれて所定間隔で形成され、前記側面開口部の上部に所定高さの前記側面遮蔽部を有することを特徴とする請求項１から請求項５のいずれかに記載のＬＥＤ照明装置。
【請求項７】
前記一方の側面と対向する前記他方の側面が、前記底面に対して直角または鋭角に形成され、前記側面遮蔽部と前記側面開口部が前記底面に対して直角または鋭角に傾いて形成されることを特徴とする請求項１から請求項６のいずれかに記載のＬＥＤ照明装置。
【請求項８】
矩形状の前記側面開口部の下端部が、前記枠体の前記底面と同一高さに形成されることを特徴とする請求項１から請求項７のいずれかに記載のＬＥＤ照明装置。
【請求項９】
矩形状の前記側面開口部は、前記他方の側面からこれと接続する前記底面にまたがるように一体に連続してＬ字状に形成されることを特徴とする請求項１から請求項７のいずれかに記載のＬＥＤ照明装置。
【請求項１０】
前記他方の側面とこれと接続する前記底面の接続部には、面取り状に両者に斜めに接続する斜面が設けられ、矩形状の前記側面開口部は、前記他方の側面から前記斜面にまたがるように連続して形成されることを特徴とする請求項１から請求項７のいずれかに記載のＬＥＤ照明装置。
【請求項１１】
前記ＬＥＤ光源の対向面の正面位置には、前記ＬＥＤ光源の数に対応させて１つまたは複数の前記側面開口部を区画する前記側面遮蔽部が設けられ、前記ＬＥＤ光源から最も輝度が高い直接光が遮蔽されることを特徴とする請求項１から請求項１０のいずれかに記載のＬＥＤ照明装置。
【請求項１２】
前記ＬＥＤ光源は、フレキシブルフラット回路に１つまたは所定間隔で複数実装されたフレキシブルフラット光源であり、
前記枠体の前記一方の側面には、前記ＬＥＤ光源の発光部の形状・配置に合わせて切欠き部が形成され、前記一方の側面の外面側にフレキシブルフラット光源が接合され、前記切欠き部から前記ＬＥＤ光源の発光面が導光空間に露出することを特徴とする請求項１から請求項１１のいずれかに記載のＬＥＤ照明装置。
【請求項１３】
前記ＬＥＤ光源は、フレキシブルフラット回路に１つまたは所定間隔で複数実装されたフレキシブルフラット光源であり、
前記ＬＥＤ光源が実装された前記フレキシブルフラット光源は、前記枠体の前記一方の側面の内面側に配置させる前記ＬＥＤ光源の発光部の形状・配置に合わせて１つまたは複数の切欠き部が形成されたマイクロ発泡樹脂製の反射板が、前記フレキシブルフラット回路を覆うように配置され、前記切欠き部から前記ＬＥＤ光源の発光面が導光空間に露出することを特徴とする請求項１から請求項１１のいずれかに記載のＬＥＤ照明装置。
【請求項１４】
前記ＬＥＤ光源は、ＬＥＤ基板に１つまたは所定間隔で複数実装されたものであり、
前記枠体の一方の側面には、前記ＬＥＤ光源の発光部の形状に合わせて１つまたは複数の切欠き部が形成され、前記一方の側面の外面側にＬＥＤ基板が接合され、前記切欠き部から前記ＬＥＤ光源の発光面が導光空間に露出することを特徴とする請求項１から請求項１１のいずれかに記載のＬＥＤ照明装置。
【請求項１５】
前記ＬＥＤ光源は、ＬＥＤ基板に１つまたは所定間隔で複数実装されたものであり、
前記ＬＥＤ光源が実装された前記ＬＥＤ基板は、前記枠体の前記一方の側面の内面側に配置させる前記ＬＥＤ光源の発光部の形状に合わせて１つまたは複数の切欠き部が形成されたマイクロ発泡樹脂製の反射板が、前記ＬＥＤ基板を覆うように配置され、前記切欠き部から前記ＬＥＤ光源の発光面が導光空間に露出することを特徴とする請求項１から請求項１１のいずれかに記載のＬＥＤ照明装置。
【請求項１６】
前記ＬＥＤ光源が複数配置され、
前記ＬＥＤ光源が接合された前記一方の側面と前記他方の側面との距離をＬとし、前記ＬＥＤ光源の配向半角が６０°±１０°の角度の範囲であり、隣接する前記ＬＥＤ光源からの直接照射光を、前記他方の側面において連続して受光できるように、前記ＬＥＤ光源の設置間隔が、２Ｌ×ｔａｎ（６０°±１０°）間隔で配置され、照明装置の輝度が均等化されることを特徴とする請求項１から請求項１５のいずれかに記載のＬＥＤ照明装置。
【請求項１７】
前記天面開口部と前記天面遮蔽部の面積を加えた前記天面の全体の面積に対する、前記天面開口部の面積の割合は、２０〜５０％であり、
前記天面開口部と前記天面遮蔽部の面積を加えた前記天面の全体の面積に対する、前記天面遮蔽部の面積の割合は、８０〜５０％であることを特徴とする請求項１から請求項１６のいずれかに記載のＬＥＤ照明装置。
【請求項１８】
前記枠体の内部空間の内表面積に対する、前記天面開口部の面積と前記側面開口部の面積とを加えた開口部の面積の割合は、１０〜２５％であることを特徴とする請求項１から請求項１７のいずれかに記載のＬＥＤ照明装置。
【請求項１９】
前記反射板のマイクロ発泡樹脂は、波長４５０〜６５０ｎｍの可視光帯域での光学特性として、酸化アルミ標準片を用いた時の光反射率が、全反射率が９５％以上、拡散反射率が９５％以上であることを特徴とする請求項１から請求項１８のいずれかに記載のＬＥＤ照明装置。
【請求項２０】
前記ＬＥＤ光源は、前記底面に対して直角または鋭角に形成された前記一方の側面の高さ方向の中央近傍に配置されることを特徴とする請求項１から請求項１９に記載のＬＥＤ照明装置。
【請求項２１】
前記天面には、金属薄膜が設けられたフィルムが配置され、さらに前記フィルム上に前記ＬＥＤ光源の光を透過する保持板が配置され、前記フィルムあるいは前記保持板の少なくともいずれかが着色されていることを特徴とする請求項１から請求項２０のいずれかに記載のＬＥＤ照明装置。
【請求項２２】
前記ＬＥＤ光源を点灯しない状態において、前記金属薄膜が視認され、前記ＬＥＤ光源を点灯した時には、前記天面開口部の複数の図形または複数の文字型が視認可能なことを特徴とする請求項２１に記載のＬＥＤ照明装置。
【請求項２３】
前記ＬＥＤ照明装置は、光取出しが可能な外部枠体の内部に収納されていることを特徴する請求項１から請求項２２のいずれかに記載のＬＥＤ照明装置。
【請求項２４】
前記天面開口部および前記側面開口部に対応した場所に光透過部材が各面に密着した状態で配置されていることを特徴とする請求項１から請求項２３のいずれかに記載のＬＥＤ照明装置。
【請求項２５】
前記光透過部材が、光を透過する金属薄膜や着色フィルムと、これらを保持する光透過板により構成されていることを特徴とする請求項２４記載のＬＥＤ照明装置。
【請求項２６】
前記枠体の前記天面または前記側面のそれぞれの面の少なくともいずれかの開口部を覆うように枠体内部に窓材が設けられることを特徴とする請求項１から請求項２５のいずれかに記載のＬＥＤ照明装置。
【請求項２７】
前記ＬＥＤ照明装置は、自動車のドアフレーム下部に取り付けられ、自動車ドア枠用の照明装置であることを特徴とする請求項２１から請求項２６のいずれかに記載のＬＥＤ照明装置。
【請求項２８】
前記ＬＥＤ照明装置は、室内装飾用照明装置であることを特徴とする請求項２１から請求項２６のいずれかに記載のＬＥＤ照明装置。
【発明の詳細な説明】
【技術分野】
【０００１】
本発明は、ＬＥＤ光源を用いたＬＥＤ照明装置に関するものである。
【背景技術】
【０００２】
省エネルギーおよび長寿命であることから、ＬＥＤ（Ｌｉｇｈｔ  Ｅｍｉｔｔｉｎｇ  Ｄｉｏｄｅ）照明が普及しており、ＬＥＤを用いた照明は数多く提案されている。
【０００３】
例えば、商品陳列用の照明装置として、小型軽量で、単一の光源を用いて光の利用効率を高め、異なる２方向に照射光を出射して照明を利用することができる照明装置、特に棚板に取り付けると好適な照明装置がある（特許文献１）。
【０００４】
特許文献１の照明装置では、光源の法線の方向には直接光を取出すことができる。また、光源の法線に交わる方向には、第１傾斜面と第２傾斜面からなる鋸歯形状の光反射機能を有する配向面が形成され、これに広角に光を取り出すためのカバー部材が取り付けられている。また、フレームの外表面に、光を反射して広角に光を広げる光反射機能を有する配向面が形成されている。
【０００５】
また、照射範囲の異なる二種類の光による照明を行なうことができる、小型で簡易な構成の車両室内照明装置がある（特許文献２）。
【０００６】
特許文献２の照明装置は、第１状態と第２状態で位置を変更できる可動式光源ユニットと、前記第１状態の前記光源ユニットの光が照射する位置に備えられる光拡散部材を備える。光源ユニットが第１状態のときには、光源ユニットから放出された光は拡散部材に照射した後に外部照射することとなり広範囲の照明光が得られる。また、光源ユニットが第２状態にあるときに照明装置は集光モードとなってスポット的照明光を照射する。このため、光源ユニットが第１状態のときには、光源ユニットが第２状態のスポット的照明のときに比較して、より広範囲の照明光が得られる。また、照射範囲の異なる二種類の照明光を、光源の照射位置（光取り出し位置）を変えることで作り出すことができ、光源数の減少によって照明装置を小型、簡略化することができる。
【０００７】
また、補助反射板によって主照射方向に対して斜め側方へ光を照射するとともに、補助反射板により遮断される主照射方向にも十分な光を照射できるＬＥＤ照明器具がある（特許文献３）。
【０００８】
特許文献３の照明装置では、ＬＥＤ照明器具に収容された光源が発した光は、主反射板により主照射方向へ照射され、その一部は、主反射板の内部に設けた補助反射板により主照射方向に対して斜め側方へ反射される。そして、補助反射板に、光源からの光を主照射方向へ透過させる開口部を設けたので、主照射方向にも光を十分に照射できる。
【０００９】
また、異なる光源の光を上面と側面方向に導光する照明装置がある（特許文献４）。この照明装置は、導光空間を２つに分けて光の干渉を避けている。
【００１０】
また、基台に設けられた片口金ランプと、その基台に取着された上記ランプを覆うグローブと、上記グローブの側部外周面に回転自在に儲けられ、一部に灯光用スリットを有する筒状のカバーとを、具備したガーデンライトがある（特許文献５）。このガーデンライトは、光源に可動機構を有さずに、直交する２方向に光を取り出すものである。
【先行技術文献】
【特許文献】
【００１１】
【特許文献１】特開２０１４−０５６７８７号公報
【特許文献２】特開２００５−０８２０８５号公報
【特許文献３】特開２０１３−１８２６９７号公報
【特許文献４】特開２００７−１５５６２号公報
【特許文献５】特開平０１−２３６５０５号公報
【発明の概要】
【発明が解決しようとする課題】
【００１２】
しかし、特許文献１では、連続して広範囲に光を取り出す機構が必要であり、フレームの外表面の構造が複雑で、しかも、光取り出し面を形成するカバー部材との嵌合構造も必要になる。また、フレームに鋸歯形状の光反射機能を有する配向面が形成されており、特別な構造の反射面を設ける必要がある。また、光取り出し部は連続した曲面形状を形成しており、光の取出し方向に対して光取り出し部の面積を変えることによる明るさの調整ができない。
【００１３】
また、特許文献２では、２種類の光を取り出すために、光を異なる導光空間を導光する必要がある。このため、光源を可動式にする必要がある。
【００１４】
また、特許文献３は、開口部を有する反射板で囲われた主照射部の空間内部で、照査される照明光の一部を補助反射板で向きを変えて斜め側方へ反射し照射するものである。これにより、もともとの照明照射部位以外に、一部の照射部位の照明光の照射強度を高めるものである。すなわち、光源からの照明光を主照射面と斜め側方の面（壁面）の２方向に照射する照明である。
【００１５】
また、特許文献４は、導光空間を分離するのに、独立の導光板を使用する必要がある。よって光源も独立に必要である。また、側面の開口部がＬＥＤの設置面と直交し、上面の開口部が単なる開口であり意匠性もない。
【００１６】
また、特許文献５のガーデンライトの枠体（グローブ）は光反射機能を有さない。このため、カバーを有さない場合には、円筒中央部に配置された棒状光源（片口金ランプ）から放出される光を、口金上面の光源外周の円筒状の全空間に光を放射するものである。したがって、別体のスリット付きカバーを用いて光をカバーの内部で外部に漏らさないように閉じ込めて出射方向を制御する必要がある。すなわち、カバーに設けたスリットは、中央に配置した棒状の光源からの直接光を漏らして放射する放射口の役割を果たすに過ぎない。また、特許文献５は、円筒状照明の円筒の端部から、反射カバーを用いないで直接照射光を取り出しており、消灯時においても開口部を視認することができ、意匠性も劣る。
【００１７】
本発明は、このような問題に鑑みてなされたもので、簡易な構造で二方向に均一にかつ省電力で光を照射することが可能なＬＥＤ照明装置を提供することを目的とする。
【課題を解決するための手段】
【００１８】
前述した目的を達するために第１の発明は、底面と天面と、前記底面と前記天面との外周を囲む４方の側面よりなる略直方体形状の枠体を有する照明装置において、前記枠体はマイクロ発泡樹脂製の反射板あるいは内面に拡散反射機能有する板材で形成され、前記枠体の一方の側面にＬＥＤ光源が、１つまたは所定間隔で複数個、前記一方の側面と対向する他方の側面に前記ＬＥＤ光源の発光面が直接対向するように配置され、前記天面は、天面遮蔽部と相互に離間した光取出し用の複数の天面開口部とで形成され、前記他方の側面は、側面遮蔽部と複数の側面開口部とで形成され、前記枠体は、前記天面の開口部と前記他方の側面の開口部以外が全て反射板で形成され、前記枠体の内面が前記ＬＥＤ光源の光を前記天面開口部と前記側面開口部に導光する導光空間を形成していることを特徴とするＬＥＤ照明装置である。
【００１９】
前記天面遮蔽部は、外周遮蔽部と開口部間遮蔽部で構成され、前記ＬＥＤ光源は、前記天面開口部の直上からは視認できないように、前記外周遮蔽部の直下に配置され、前記ＬＥＤ光源からの光を前記天面遮蔽部と前記底面に拡散反射させて、前記天面開口部と前記側面開口部に導光してもよい。
【００２０】
前記外周遮蔽部は、複数の前記天面開口部の全体を囲うように形成され、前記開口部間遮蔽部は、前記天面開口部同士の間に前記外周遮蔽部に内接するように形成されてもよい。
【００２１】
前記天面開口部は、複数の図形または複数の文字型であり、前記複数の図形または複数の文字型を照明装置の外部から視認するための加飾用照明であっても良い。
【００２２】
開口部内遮蔽部は、前記天面開口部の内部に必要に応じて形成されても良い。特に、天面開口部を形成する図形や文字型などが丸や四角等の閉曲線形状であるか、あるいはこれらの形状を含むことが望ましい。
【００２３】
複数の前記側面開口部は矩形状に切り欠かれて所定間隔で形成され、前記側面開口部の上部に所定高さの前記側面遮蔽部を有してもよい。前記側面開口部は、複数個でなく一つとすることもできる。
【００２４】
前記一方の側面と対向する他方の側面が前記底面に対して直角または鋭角に形成され、前記側面遮蔽部と前記側面開口部が底面に対して、直角または鋭角に傾いて形成されても良い。
【００２５】
矩形状の前記側面開口部の下端部が、前記枠体の前記底面と同一高さに形成されてもよいし、矩形状の前記側面開口部は、前記他方の側面からこれと接続する前記底面にまたがるように一体に連続してＬ字状に形成されてもよい。このように側面開口部をＬ字状に形状にすることで、前記側面開口部からの光取り出し角度を広げることができる。
【００２６】
前記他方の側面とこれと接続する前記底面の接続部には、面取り状に両者に斜めに接続する斜面が設けられ、矩形状の前記側面開口部は、前記他方の側面から前記斜面にまたがるように連続して形成されてもよい。前記側面開口部をこのように形成することで、前記側面開口部からの光取り出し角度を広げることができる。
【００２７】
前記ＬＥＤ光源の対向面の正面位置には、前記ＬＥＤ光源の数に対応させて１つまたは複数の前記側面開口部を区画する前記側面遮蔽部が設けられ、前記ＬＥＤ光源から最も輝度が高い直接光が遮蔽されるように遮蔽部を構成してもよい。このようにすることで、ＬＥＤ光源からのもっとも輝度が高い光を遮断して、側面方向から取り出す光のグレア感を低減できる。
【００２８】
前記ＬＥＤ光源は、フレキシブルフラット回路に１つまたは所定間隔で複数実装されたフレキシブルフラット光源であり、前記枠体の前記一方の側面には、前記ＬＥＤ光源の発光部の形状・配置に合わせて切欠き部が形成され、前記一方の側面の外面側にフレキシブルフラット光源が接合され、前記切欠き部から前記ＬＥＤ光源の発光面が導光空間に露出してもよい。
【００２９】
このような構成にすることにより、フレキシブルフラット回路が枠体の外部に露出するので放熱性が向上し、ＬＥＤ光源を効率的に冷却でき、ＬＥＤ光源の効率を向上できる。また前記枠体の内部の温度の上昇を低減でき、耐熱性の比較的低い材料を使うことができる。
【００３０】
フレキシブルフラット光源は、前記ＬＥＤ光源がフレキシブルフラット回路に１つまたは所定間隔で複数実装された光源であり、前記ＬＥＤ光源が実装された前記フレキシブルフラット光源は、前記枠体の前記一方の側面の内面側に配置させる前記ＬＥＤ光源の発光部の形状・配置に合わせて１つまたは複数の切欠き部が形成されたマイクロ発泡樹脂製の反射板が、前記フレキシブルフラット回路を覆うように配置され、前記切欠き部から前記ＬＥＤ光源の発光面が導光空間に露出したフレキシブル光源を使用することができる。
【００３１】
前記ＬＥＤ光源は、フレキシブルフラット回路に１つまたは所定間隔で複数実装されたものであり、前記ＬＥＤ光源が実装された前記フレキシブルフラット回路は、前記枠体の一方の側面の内面側に配置され、前記ＬＥＤ光源の発光部の形状、配置に合わせて切欠き部が形成されたマイクロ発泡樹脂製の反射板が、前記フレキシブルフラット回路のＬＥＤ光源が実装された表面を覆うように固定され、前記切欠き部から前記ＬＥＤ光源の発光面が導光空間に露出してもよい。
【００３２】
このような構成にすることにより、フレキシブルフラット回路により光源の光が吸収され光の利用効率を低下させることを防止できる。また光源光を吸収してフレキシブルフラット回路が加熱されることも低減できるので、ＬＥＤ光源の効率の低下や寿命の低下も防止できる。
【００３３】
前記フレキシブルフラット回路を露出して配置する場合は、白色レジストなどの反射部材を被覆することで、反射板に変えても良い。前記フレキシブルフラット回路は、ＬＥＤ光源に加え抵抗や保護回路部品が実装されていても良い。
【００３４】
前記ＬＥＤ光源は、ＬＥＤ基板に１つまたは所定間隔で複数実装されたものであり、前記枠体の一方の側面には、前記ＬＥＤ光源の発光部の形状に合わせて１つまたは複数の切欠き部が形成され、前記一方の側面の外面側にＬＥＤ基板が接合され、前記切欠き部から前記ＬＥＤ光源の発光面が導光空間に露出されても良い。
【００３５】
前記ＬＥＤ基板は、前記ＬＥＤ光源がＬＥＤ基板に１つまたは所定間隔で複数実装されたものであり、前記ＬＥＤ光源が実装された前記ＬＥＤ基板は、前記枠体の前記一方の側面の内面側に配置させる前記ＬＥＤ光源の発光部の形状に合わせて１つまたは複数の切欠き部が形成されたマイクロ発泡樹脂製の反射板が、前記ＬＥＤ基板を覆うように配置され、前記切欠き部から前記ＬＥＤ光源の発光面が導光空間に露出されても良い。
【００３６】
前記ＬＥＤ基板としては、ガラエポ等のリジッド基板が使用できる。前記ＬＥＤ光源の回路基板を露出して配置する場合は、白色レジストなどの反射部材を被覆することで、反射板に変えても良い。
【００３７】
このような構成にすることにより、ＬＥＤ基板により光源の光が吸収され光の利用効率を低下させることを防止できる。また光源光を吸収してＬＥＤ基板が加熱されることも低減できるので、ＬＥＤ光源の効率の低下や寿命の低下も防止できる。
【００３８】
前記ＬＥＤ光源が複数配置され、前記ＬＥＤ光源が接合された前記一方の側面と前記他方の側面との距離をＬとし、前記ＬＥＤ光源の配向半角が６０°±１０°の角度の範囲であり、隣接する前記ＬＥＤ光源からの直接照射光を、前記他方の側面において連続して受光できるように、前記ＬＥＤ光源の設置間隔が、２Ｌ×ｔａｎ（６０°±１０°）間隔で配置され、照明装置の輝度が均等化されてもよい。このように、ＬＥＤ光源の配向角度に合わせてＬＥＤ光源を配置することで、照明装置の輝度を平均化できる。
【００３９】
前記天面開口部と前記天面遮蔽部の面積を加えた前記天面の全体の面積に対する、前記天面開口部の面積の割合は、２０〜５０％であり、前記天面開口部と前記天面遮蔽部の面積を加えた前記天面の全体の面積に対する、前記天面遮蔽部の面積の割合は、８０〜５０％であってもよい。また、側面開口部と側面遮蔽部の面積割合についても、天面開口部と側面開口部の面積割合についても同様の傾向を満足することが望ましい。
【００４０】
前記枠体の内部空間の内表面積に対する、前記天面開口部の面積と前記側面開口部の面積とを加えた開口部の面積の割合は、１０〜２５％であってもよい。このように、所定の面積割合の開口部を有する導光空間に光を閉じ込めることで、ＬＥＤ光源からの光を有効に、天面と底面の反射板に相互に拡散反射させ、ＬＥＤ光源に対向する他の側面から光を取り出すことができる。
【００４１】
前記反射板のマイクロ発泡樹脂は、波長４５０〜６５０ｎｍの可視光帯域での光学特性として、酸化アルミ標準片を用いた時の光反射率が、全反射率９５％以上、拡散反射率が９５％以上であることが好ましい。このように、前記反射板の拡散反射率が高いことで、導光空間内面の天面および側面の反射板により、光を多重に拡散反射させることができるので、開口部から均一な明るさで、光強度低下の少ない光を取り出すことができる。
【００４２】
前記ＬＥＤ光源は、前記底面に対して直角に形成された前記一方の側面の高さ方向の中央近傍に配置されても良い。前記一方の側面は、前記底面に対して鋭角に形成され、前記ＬＥＤ光源は、前記一方の側面の高さ方向の中央近傍に配置されても良い。
このように配置されることで、前記ＬＥＤ光源の光の一部を、前記底面に拡散反射させて、拡散反射させた反射光を、前記天面開口部で面発光させ、さらに前記ＬＥＤ光源の光の一部を、前記底面に対して直角または鋭角に形成された前記側面遮蔽部と前記側面開口部に照射して、前記側面開口部から直接照射光を取り出すと同時に、前記側面遮蔽部で反射した後、導光空間内で拡散反射させて、前記側面開口部から拡散反射光として取り出してもよい。
【００４３】
前記天面には、金属薄膜が設けられたフィルムが配置され、さらに前記フィルム上に前記ＬＥＤ光源の光を透過する保持板が配置され、前記フィルムあるいは前記保持板の少なくともいずれかが着色されていてもよい。前記保持板の光透過率は２０〜３０％であることが望ましい。前記フィルムは、前記保持板に、光透過性の透明接着剤で張り付けられても良い。
【００４４】
前記ＬＥＤ光源を点灯しない状態において、前記金属薄膜が視認され、前記ＬＥＤ光源を点灯した時には、前記天面開口部の複数の図形または複数の文字型が視認可能であってもよい。
【００４５】
前記ＬＥＤ照明装置は、光取出しが可能な外部枠体内部に収納されてもよい。前記外部枠体は、透明または半透明であることが望ましい。
【００４６】
前記天面開口部および前記側面開口部に対応した場所に光透過部材が各面に密着した状態で配置されていてもよい。前記光透過部材が、光を透過する金属薄膜や着色フィルムと、これらを保持する光透過板により構成されていることが望ましい。このようにすることで、照明装置が点灯していない場合と、点灯した場合で照明装置の開口部の見え方（色や色合い）を変えることができる。またＬＥＤ光源の光と違う照明光を照射することができる。
【００４７】
また、開口部はＬＥＤ光源の光を透過する窓材で封止されていても良い。前記窓材は、前記枠体の天面または側面のそれぞれの面の少なくともいずれかの開口部を覆うように枠体内部に設けることが望ましい。更に、乳白色の材料や透明な材料に拡散フィルムや反射率を制御できるフィルムを設けた窓材を用いても良い。
【００４８】
前記ＬＥＤ照明装置は、自動車のドアフレーム下部に取り付けられ、自動車ドア枠用の照明装置であってもよい。このようにすることで、天面の開口部からの光を自動車の車内を照らす加飾照明用の照明とするとともに、側面開口部から光を車室内側面または車外の足下等を照らす照明装置とすることができる。
【００４９】
前記ＬＥＤ照明装置は、室内装飾用照明装置であってもよい。たとえば、室内装飾用照明装置として用いる場合には、天面の開口部を壁面に平行に配置し、側面開口部を壁面に垂直に配置しても良い。このようにすることで、照明装置を取付けた壁面を見ると、ロゴマーク等の加飾面が視認でき、さらに加飾面の上側または下側の壁面の輝度を増加させることができる。
【００５０】
第１の発明によれば、同一光源の光を天面とＬＥＤ光源と対向する側面方向に導光し、枠体の遮蔽部の拡散反射を利用して同一の導光空間を導光する。このため、特許文献４のように導光板を使用することなく、枠体の光の反射を利用することができる。また、拡散反射により導光空間内で均一な照度にすることができ、各面から面発光させることができる。また、枠体の異なる面に開口部を設けることにより、略直交する異なる２方向に光を取り出し、取り出した光を異なる目的に使用することができる。また、枠体の開口部に形成されるスリットや文字の幅や大きさ、窓材の透過率を変えることにより、照明の明るさを設計的に変えることができる。また、導光空間で拡散反射されているので、開口部から照射される照明光の照射角が大きいため、広い範囲に照射できる。
【００５１】
また、ＬＥＤ光源が、天面開口部の直上からは視認できないように、外周遮蔽部の直下に配置されることで、グレア感を低減することができ、導光空間内を拡散反射させた間接光を取り出すことが可能となり、より均一な光を取り出すことができる。天面に外周遮蔽部を設けることで、拡散反射の回数を増加させることができより均一な光を取り出すことができる。
【００５２】
また、複数の天面開口部の全体を囲うように外周遮蔽部を形成し、天面開口部同士の間に外周遮蔽部に内接するように開口部間遮蔽部を形成することで、天面開口部間の開口部間遮蔽部と外面遮蔽部の裏面で、光を拡散反射させることができる。
【００５３】
また、外部遮蔽部と開口部間遮蔽部に加えて、開口部内遮蔽部を形成することができる。開口部内遮蔽部は、開口部を形成する文字や図形の輪郭の内部に相似形などの類似形状の文字や記号や図形を開口部内に形成するものである。記号や文字や図形の形状は、開口部内に配置可能であれば任意の形状とすることが可能である。開口部の内部に遮蔽部が存在する場合には、開口部内遮蔽部も拡散反射に寄与させることができる。このように、開口部間遮蔽部や開口部内遮蔽部を設けることは、天面と底面における相互の拡散反射を増加させることができるので望ましい。
【００５４】
また、天面開口部を、複数の図形または複数の文字型とすることで、意匠性にも優れる。ここで、天面開口部を、企業のロゴマークや企業名あるいは所有者の名前などの文字型を入れることで、照明装置にメッセセージ性を付与することができ、広告宣伝や所有者のステータスを高めたりすることが期待できる。
【００５５】
また、側面開口部の上部に所定高さの側面遮蔽部を設けることで、側面遮蔽部の裏面で、光を拡散反射させることができる。これにより、導光空間内の光の拡散反射が促進され、開口部から取り出す光の均一化を計ることができる。また、安全や動作の誘導などの表示機能を付与することもできる。
【００５６】
また、矩形状の側面開口部の下端部を、枠体の底面と同一高さに形成すれば、確実に光を側面に取り出すことができる。
【００５７】
また、矩形状の側面開口部が、他方の側面からこれと接続する底面にまたがるように一体に連続してＬ字状に形成されれば、側面と底面の両方に光を取り出すことができる。
【００５８】
また、他方の側面とこれと接続する底面の接続部に斜面を設け、側面開口部が、他方の側面から斜面にまたがるように連続して形成されれば、側面と斜め下方の両方に光を取り出すことができる。このように側面開口部を他方の側面から斜面にまたがるように形成して、開口部の形成位置、形成角度、開口面積を調整することにより照射角度、照射範囲を調整できる。
【００５９】
また、ＬＥＤ光源の対向面の正面位置に、ＬＥＤ光源の数に対応させて側面遮蔽部を設けることで、ＬＥＤ光源から最も輝度が高い直接光を遮蔽することができる。このため、グレア感を低減することができ、均一な光を取り出すことができる。また、枠体の強度が増加して、側面開口部の変形を抑制することができる。
【００６０】
また、ＬＥＤ光源が、フレキシブルフラット回路に１つまたは所定間隔で複数実装されたフレキシブルフラット光源を使用することで、枠体への取り付けが容易であり、配線のレイアウトの自由度も高い。この際、枠体の一方の側面に、ＬＥＤ光源の発光部の形状に合わせて切欠き部を形成することで、枠体の一方の側面の外面側にフレキシブルフラット光源を配置することができる。このようにすることで、導光空間内には、ＬＥＤ光源の発光面が露出するだけで、枠体内面を全て反射板で覆った導光空間を構成することができる。
【００６１】
また、フレキシブルフラット光源が、枠体の一方の側面の内面側に配置された場合には、ＬＥＤ光源の発光部の形状に合わせて切欠き部が形成されたマイクロ発泡樹脂製の反射板で、フレキシブルフラット回路を覆うことで、導光空間内に配線回路を設ける必要なく、導光空間を実質的に光反射板のみで形成することができることから、確実に導光空間内で光を拡散反射させることができる。
【００６２】
また、枠体の一方の側面と他方の側面との距離をＬとし、ＬＥＤ光源の配向半角が６０°±１０°の角度の範囲である場合に、ＬＥＤ光源の設置間隔を、２Ｌ×ｔａｎ（６０°±１０°）間隔で配置することで、隣接するＬＥＤ光源からの直接照射光を、他方の側面において連続して受光でき、照明装置の輝度を均等化することができる。このように、ＬＥＤ光源の配置間隔を、ＬＥＤ光源の配向角と略一致させることで、開口部から取り出す光の明るさの均一化を計ることができる。
【００６３】
また、天面の全体の面積に対する、天面開口部の面積の割合を２０〜５０％とし、天面の全体の面積に対する、天面遮蔽部の面積の割合を８０〜５０％とすることで、照明としての明るさの確保と、導光機能の確保による全体的な輝度と面発光の確保を両立することができる。
【００６４】
また、枠体の内部空間の内表面積に対する、天面開口部の面積と側面開口部の面積とを加えた開口部の面積の割合を、１０〜２５％とし、光を導光空間内に閉じ込めることで、開口部からの面積当たりの光量を確保することができる。
【００６５】
また、反射板のマイクロ発泡樹脂が、酸化アルミ標準片の反射率を１００％とした時に、全反射率が９５％以上であり、拡散反射率が９５％以上であれば、効率良く光を反射させることができ、拡散反射による多重反射を繰り返しても照度の低下が抑えられ、ＬＥＤ光源を削減しても照明電力の低減と面発光の両立が実現できる。
【００６６】
また、ＬＥＤ光源の光の一部を、底面に対して直角または鋭角に形成された側面遮蔽部と側面開口部に照射して、側面開口部から直接照射光を取り出すと同時に、側面遮蔽部で反射した後、導光空間内で拡散反射させて、側面開口部から拡散反射光として取り出すことで、開口部からの照射される照射光の輝度を均等化することで面発光させることができる。
【００６７】
さらに、枠体の一方の側面を、底面に対して鋭角に形成し、ＬＥＤ光源の光の一部を、底面に拡散反射させて、拡散反射させた反射光を、天面開口部で面発光させることで、照明装置の輝度を均等化することができる。
【００６８】
また、天面に、金属蒸着により金属膜が形成されたフィルムを配置し、さらにフィルム上に光透過率２０〜３０％の着色された保持板を配置することで、ＬＥＤ光源を点灯しない状態において、天面開口部が視認できず金属面が視認され、ＬＥＤ光源を点灯した時には、天面開口部の複数の図形または複数の文字型を視認可能とすることができる。図形または複数の文字型の視認性は着色された色と保持板の透過率で調整ができる。着色された保持板の代りに着色フィルムを用いて、透明な保持板と組み合わせて照明の色を変える構成としても良い。
【００６９】
また、ＬＥＤ照明装置を、光取出しが可能な透明の外部枠体内部に収納することで、枠体を確実に保護することができる。また、開口部を透明な窓材で封止することで異物やほこり、液体の侵入を防止する事が好ましい。
【００７０】
このようなＬＥＤ照明装置は、自動車のドアフレーム下部に取り付けられた自動車ドア枠用の照明装置または室内装飾用照明装置として特に好適である。
【００７１】
第２の発明は、底面と天面と、前記底面と前記天面との外周を囲む４方の側面よりなる略直方体形状の枠体を有する照明装置において、前記枠体の内面がマイクロ発泡樹脂製の反射板で覆われて導光空間が形成され、前記枠体の一方の側面にＬＥＤ光源が配置され、前記ＬＥＤ光源は、１つまたは複数個のＬＥＤ素子を実装したＬＥＤ基板よりなり、前記天面は、天面遮蔽部と相互に離間した光取出し用の複数の天面開口部とで形成され、前記一方の側面と対向する他方の側面は、側面遮蔽部と、１つ以上の側面開口部とで形成され、前記天面開口部および前記側面開口部に対応した場所に光透過部材が各面に密着した状態で配置されていることを特徴とするＬＥＤ照明装置である。
【００７２】
前記光透過部材が、光を透過する金属箔と金属箔を保持する光透過板により構成されてもよい。
【００７３】
前記ＬＥＤ基板および前記ＬＥＤ基板の配線の、前記導光空間に露出する表面がマイクロ発泡樹脂製の反射板などの拡散反射機能を有するフィルムや材料で覆われてもよい。
【００７４】
第２の発明によれば、枠体の内面がマイクロ発泡樹脂製の反射板で覆われて導光空間が形成されるため、強度の高い金属製や樹脂製の枠体を用いることができる。また、反射率の高いマイクロ発泡樹脂製の反射板で覆うことで、導光空間内で効率よく光を拡散反射させて、照明装置の輝度を均等化することができる。また、天面開口部および側面開口部に対応した場所に光透過部材が密着した状態で配置されることで、開口部から異物等が内部に侵入することを防止することができる。
【００７５】
また、光透過部材が、光を透過する金属箔と、金属箔を保持する光透過板により構成されることで、光を透過するほどに薄い金属箔を、確実に保持することができる。
【００７６】
ＬＥＤ基板およびＬＥＤ基板の配線の、導光空間に露出する表面を、マイクロ発泡樹脂製の反射板で覆うことで、確実に導光空間内で光を拡散反射させることができる。
【発明の効果】
【００７７】
本発明によれば、簡易な構造で二方向に、均一な光を照射することが可能なＬＥＤ照明装置を提供することができる。
【図面の簡単な説明】
【００７８】
【図１】ＬＥＤ照明装置１の斜視図。
【図２】ＬＥＤ照明装置１の平面図。
【図３】ＬＥＤ照明装置１の断面図であり、図１のＡ−Ａ線断面図。
【図４】ＬＥＤ照明装置１の断面図であり、図１のＢ−Ｂ線断面図。
【図５】（ａ）、（ｂ）は、ＬＥＤ照明装置１の他の実施形態の断面図。
【図６】（ａ）はフレキシブルフラット回路２５の正面図、（ｂ）はフレキシブルフラット回路２５の背面図。
【図７】（ａ）、（ｂ）は、ＬＥＤ照明装置１の他の実施形態の断面図。
【図８】（ａ）、（ｂ）は、ＬＥＤ照明装置１の他の実施形態の断面図。
【図９】ＬＥＤ照明装置１ａの断面図。
【図１０】ＬＥＤ照明装置１ａの平面図であり、（ａ）はＬＥＤ光源消灯時、（ｂ）はＬＥＤ光源点灯時を示す図。
【図１１】ＬＥＤ照明装置１ｂの断面図。
【図１２】ＬＥＤ照明装置１ｃを示す断面図。
【図１３】ＬＥＤ照明装置１ａを自動車のドアフレーム下部に取り付け、自動車ドア枠用の照明装置として使用した状態を示す図。
【図１４】ＬＥＤ照明装置１ａを自動車のドアフレーム下部に取り付け、自動車ドア枠用の照明装置として使用した他の状態を示す図。
【発明を実施するための形態】
【００７９】
以下、図面を参照しながら、本発明の実施形態について説明する。図１はＬＥＤ照明装置１を示す斜視図であり、図２は、ＬＥＤ照明装置１を示す平面図であり、図３は図１のＢ−Ｂ線断面図である。また、図４は図１のＡ−Ａ線断面図である。ＬＥＤ照明装置１は、主に、枠体３、ＬＥＤ光源１９等からなる。なお、以下の説明において、配線などは図示を省略する。
【００８０】
枠体３は、底面７、天面５、底面７と天面５との外周を囲む４方の側面９ａ、９ｂ、９ｃ、９ｄよりなる略直方体形状である。すなわち、天面５は、底面７と対向し、側面９ａは側面９ｂと対向し、側面９ｃは側面９ｄと対向する。
【００８１】
枠体３は、マイクロ発泡樹脂製の反射板で形成される。なお、マイクロ発泡樹脂製の反射板は、マイクロ発泡樹脂シート（多数の微細気泡を有する多孔質部材）から形成される。本発明で用いるマイクロ発泡樹脂シートは、中央に発泡層を有し、両面に非発泡層を有する絶縁性の樹脂シートである。ここで、発泡層とは、発泡により、気泡を生成させた層をいう。
【００８２】
本発明では、マイクロ発泡樹脂シートの厚さは０．４ｍｍ〜２．０ｍｍで、非発泡層の厚さは１０〜３０μｍである。発泡層の厚さは、マイクロ発泡樹脂シートの厚さから、非発泡層の厚さを引いた値になる。つまり、非発泡層の厚さは、マイクロ発泡樹脂シートの全体厚さが増しても、ほぼ一定値になる。この理由は、非発泡層がマイクロ発泡樹脂シートの製造工程においてガスが抜けることにより形成され、これにより形成される層の厚さは、マイクロ発泡樹脂シートの表面からの距離によって決まるためである。
【００８３】
本発明のマイクロ発泡樹脂シートは、平均気泡径が０．２μｍから４０μｍの範囲であることが好ましい。ここで、平均気泡径が０．２μｍより小さすぎると、光の透過度が高くなり反射率が低下する。平均気泡径が大きすぎると拡散反射率が低下するため、平均気泡径は０．２μｍから４０μｍ以下とする必要がある。さらに平均気泡径は０．５μｍから２０μｍであることが好ましい。
【００８４】
マイクロ発泡樹脂シートは熱可塑樹脂からなり、波長４５０〜６５０ｎｍの可視光帯域に対する光学特性として、酸化アルミ標準片の反射率を１００％とした時の光反射率が、全反射率は９０％以上、拡散反射率は９０％以上、反射率の波長依存性は１％以下の範囲内にある。好ましくは、全反射率は９５％以上、拡散反射率は９５％以上である。マイクロ発泡樹脂シートは、全反射率、拡散反射率ともに高いので反射板として有効である。反射率としては、全反射率、拡散反射率ともに９８％の反射板を使用することもできる。
【００８５】
ここで、本発明のマイクロ発泡樹脂シートは、絶縁性を有する基板で、その体積固有抵抗は１０１２Ω〜１０１７Ωである。この範囲であれば、本発明における絶縁性を十分確保できる。
【００８６】
本発明において、マイクロ発泡樹脂シートは、ＰＥＴ樹脂（ポリエチレンテレフタレート樹脂）、ＰＣ樹脂（ポリカーボネート樹脂）、難燃ＰＣ樹脂、アクリル系樹脂のいずれかから構成することが好ましい。上記の他、マイクロ発泡樹脂シートには、シクロオレフィンポリマー、ポリアクリロニトリルなどのアクリル樹脂に難燃性を持たせた透明樹脂を使用することもできる。
【００８７】
天面５には、相互に離間した複数の天面開口部１１が設けられる。天面開口部１１は、内部から光を取り出すための開口部である。天面開口部１１は、複数の図形または複数の文字型である。このため、ＬＥＤ照明装置１は、複数の図形または複数の文字型を照明装置の外部から視認するための加飾用照明として使用することができる。なお、天面開口部１１の形態や個数は図示した例には限られない。
【００８８】
天面５の天面開口部１１以外の部位は、天面遮蔽部１３となる。すなわち、天面５は、天面遮蔽部１３と、相互に離間した光取出し用の複数の天面開口部１１とで形成される。
【００８９】
また、図２に示すように、天面遮蔽部１３は、外周遮蔽部１３ａと開口部間遮蔽部１３ｂと開口部内遮蔽部１３ｃで構成される。外周遮蔽部１３ａは、複数の天面開口部１１の全体を囲うように形成される。なお、開口部内遮蔽部１３ｃは必ずしも必要ではない。すなわち、天面遮蔽部１３は、外周遮蔽部１３ａと開口部間遮蔽部１３ｂとで構成されるか、あるいは外周遮蔽部１３ａと開口部間遮蔽部１３ｂと開口部内遮蔽部１３ｃとで構成されるかのいずれかである。
【００９０】
ここで、図２の一点鎖線で示した領域は、天面開口部１１と開口部間遮蔽部１３ｂと開口部内遮蔽部１３ｃを合わせた領域であり、外周遮蔽部１３ａは、天面開口部１１と開口部間遮蔽部１３ｂと開口部内遮蔽部１３ｃを合わせた領域の外周に形成され、天面開口部１１は、外周遮蔽部１３ａに内接する。また、開口部間遮蔽部１３ｂは、天面開口部１１同士の間に外周遮蔽部１３ａに内接するように形成される。また、開口部内遮蔽部１３ｃは、天面開口部１１に内接するように形成される。
【００９１】
ここで、開口部間遮蔽部１３ｂと開口部内遮蔽部１３ｃは、天面開口部１１の輪郭を形成するとともに、反射板として作用させることができ、導光空間内の光を他方の側面に導光することができる。
【００９２】
図３（図１のＢＢ縦断面図に相当する）に示すように、底面７に対して直角に形成された一方の側面９ａには、ＬＥＤ光源１９が、一方の側面９ａと対向する他方の側面９ｂにＬＥＤ光源１９の発光面が直接対向するように配置される。ＬＥＤ光源１９は、一つであってもよく、複数個であってもよい。なお、本実施形態ではＬＥＤ光源１９が所定間隔で３つ配置された例を示す。ＬＥＤ光源１９は、側面９ａの高さ方向の中央近傍に配置される。
【００９３】
また、ＬＥＤ光源１９は、天面遮蔽部１３（外周遮蔽部１３ａ）の直下に配置される。このようにすることで、天面開口部１１の直上から、ＬＥＤ光源１９を直接視認することができないようにすることができる。ここで、ＬＥＤ光源は側面９ａの略中央に配置されることが望ましい。
【００９４】
ＬＥＤ光源１９が配置される側面９ａと対向し、底面に対して直角に形成される他方の側面９ｂには、１つまたは複数の側面開口部１５が形成される。側面開口部１５は、内部から光を取り出すための開口部である。側面開口部１５は、略矩形状のである。すなわち、複数の側面開口部１５は矩形状に切り欠かれて所定間隔で形成される。
【００９５】
図４（図１のＡＡ横断面図に相当する図）に示すように、ＬＥＤ光源１９の対向面（側面９ｂ）の正面位置には、ＬＥＤ光源１９の数に対応させて、１つまたは複数の側面開口部１５を区画する側面遮蔽部１７が設けられる。このため、ＬＥＤ光源１９から最も輝度が高い直接光（図中Ｃ）が、側面遮蔽部１７によって遮蔽される。
【００９６】
このように、側面９ｂは、側面開口部１５と、側面遮蔽部１７とで形成される。すなわち、側面遮蔽部１７と側面開口部１５は、底面７に対して直角に形成される。また、側面開口部１５の上部には、所定高さの側面遮蔽部１７を有する。また側面開口部１５の下端部は、枠体３の底面７と同一高さに形成される。すなわち、側面開口部１５は、側面９ｂの高さ方向の下端から所定の高さ（側面９ｂの高さよりも低い範囲）で形成される。
【００９７】
なお、天面５の内面側には、窓材１２が設けられる。すなわち、窓材１２は、天面遮蔽部１３の内面に貼り付けられ、枠体３の天面５および側面９ｂのそれぞれの面の少なくともいずれかの開口部を覆うように枠体３の内部に設けられる。同様に、側面９ｂの内面側には、窓材１２が設けられる。すなわち、窓材１２は、側面遮蔽部１７の内面に貼り付けられる。窓材１２は、光を透過する部材であり、天面開口部１１および側面開口部１５を塞ぐものである。
【００９８】
図３（図１のＢＢ断面図に相当する図）に示すように、枠体３は、天面５と側面９ｂに形成された天面開口部１１および側面開口部１５以外が全て反射板で形成される。すなわち、枠体３は、ＬＥＤ光源１９の光を、天面開口部１１と側面開口部１５に導光する導光空間２１を形成するものである。このように、ＬＥＤ光源１９からの光を、天面遮蔽部１３、側面遮蔽部１７、底面７等に拡散反射させて、天面開口部１１と側面開口部１５に導光し、天面開口部１１と側面開口部１５から光を取り出すことができる。
【００９９】
すなわち、ＬＥＤ光源１９の光の一部を、底面７に拡散反射させて、拡散反射させた反射光を、天面開口部１１で面発光させることができる。さらにＬＥＤ光源１９の光の一部を、底面７に対して直角に形成された側面遮蔽部１７と側面開口部１５に照射して、側面開口部１５から直接照射光を取り出すと同時に、側面遮蔽部１７で反射した後、導光空間２１内で拡散反射させて、側面開口部１５から拡散反射光として取り出すことができる。ここで、導光空間内では、反射が繰り返されて、多重反射が起こることで、より拡散反射光が均一化される。
【０１００】
ここで、天面開口部１１と天面遮蔽部１３の面積を加えた天面５の全体の面積に対する、天面開口部１１の面積の割合は、２０〜５０％であることが望ましい。すなわち、天面開口部１１と天面遮蔽部１３の面積を加えた天面５の全体の面積に対する、天面遮蔽部１３の面積の割合は、８０〜５０％であることが望ましい。
【０１０１】
さらに、側面開口部１５と側面遮蔽部１７の面積を加えた側面９ｂの全体の面積に対する、側面開口部１５の面積の割合は、２０〜５０％であることが望ましい。すなわち、側面開口部１５と側面遮蔽部１７の面積を加えた側面９ｂ全体の面積に対する、側面遮蔽部１７の面積の割合は、８０〜５０％であることが望ましい。
【０１０２】
天面開口部１１の割合が２０％未満では、加飾照明全体としての明るさが不足する。これは、天面開口部１１の単位面積当たりには光が集中して少し明るくなるが、加飾面全体の輝度は減少するためである。なお、本発明では、枠体３の内面の拡散反射率が高いので、天面開口部１１を狭くしても、繰り返し拡散反射しても天面開口部１１から取り出す光の強度は大きく減少することはない。
【０１０３】
また、天面開口部１１の割合が５０％を超えると導光機能が不足し、開口部からの直接照射光が増加する。これは天面開口部の割合が５０％を超えると、天面開口部１１から取り出す単位面積当たりの光量が減ると同時に、導光空間内で拡散反射を繰り返すことで均一される光取り出し量が減少し、天面開口部から取出す光に輝度むらが生じるため、天面開口部の開口部面積の上限は、５０％未満が望ましい。なお、さらに望ましくは、天面５の全体の面積に対する、天面開口部１１の面積の割合は、３０〜５０％であり、天面遮蔽部１３の面積の割合は、５０％以上７０％以下である。
【０１０４】
また、側面開口部１５と側面遮蔽部１７の面積割合についても、天面開口部と側面開口部の面積割合についても同様の傾向を満足することが望ましい。天面開口部の開口部割合だけでなく、側面開口部の開口割合を所定範囲に設定することで、導光空間内の拡散反射による光強度の均一化を計り、開口部から均一な光を取り出すことができる。
【０１０５】
また、枠体３の内部空間の内表面積に対する、天面開口部１１の面積と側面開口部１５の面積とを加えた開口部の面積の割合は、１０〜２５％であることが望ましく、さらに望ましくは、１０〜２０％である。ここで、枠体３の内部空間の内表面積とは、天面５、底面７、側面９ａ、９ｂ、９ｃ、９ｄの内面積（遮蔽部と開口部のすべて含む）の総和である。
【０１０６】
このようにすることで、光を導光空間２１内に効率よく閉じ込めることができる。この結果、開口部からの面積当たりの光量を確保することができる。
【０１０７】
ここで、図３のＬＥＤ照明装置１の断面図の底面７の長さと側面９ａ、９ｂ、９ｃ、９ｄの高さの比率を、アスペクト比とすると、アスペクト比は大きい方が望ましく、少なくともアスペクト比が２以上であることが望ましい。この理由は、アスペクト比が大きい方が、ＬＥＤ光源１９から側面９ｂの側面開口部１５に直接照射される光が少なくなるため、これにより側面開口部１５から直接取り出される光が少なくなり、導光空間２１内に閉じ込められる光量が増加するからである。
【０１０８】
なお、枠体３の内部空間の内表面積に対する、天面開口部１１の面積と側面開口部１５の面積とを加えた開口部の面積の割合が１０％未満では、開口面積が小さいため、加飾照明全体としての明るさが不足する。また、枠体３の内部空間の内表面積に対する、天面開口部１１の面積と側面開口部１５の面積とを加えた開口部の面積の割合が２５％を超えると、空間内への光の閉じ込め量が低下し、各開口部からの面積当たりの光の取り出し量が低下する。ここで、枠体３の内部空間の内表面積に対する、天面開口部１１の面積と側面開口部１５の面積とを加えた開口部の面積の割合は、前記天面開口部１１と天面遮蔽部１３の面積を加えた天面５の全体の面積に対する、天面開口部１１の面積の割合の２０〜５０％の半分以下であることが望ましい。そのため、枠体３の内部空間の内表面積に対する、天面開口部１１の面積と側面開口部１５の面積とを加えた開口部の面積の割合は、さらに２０％以下とすることが望ましい。
【０１０９】
また、図４に示すように、ＬＥＤ光源１９が接合された側面９ａと側面９ｂの距離をＬとする。ＬＥＤ光源１９の正面方向に対する配向半角（図中α）は６０°±１０°の角度の範囲であり、隣接するＬＥＤ光源１９からの直接照射光を、側面９ｂにおいて連続して受光するためには、ＬＥＤ光源１９同士の設置間隔Ｐが、２Ｌ×ｔａｎ（６０°±１０°）であることが望ましい。このように、ＬＥＤ光源１９を配置することで、ＬＥＤ照明装置１の輝度を均等化することができる。ここで、配向半角６０°においては、隣接するＬＥＤ光源１９からのそれぞれの光強度が重畳されることから、配向半角６０°における輝度は、ＬＥＤ光源の中心の法線位置における輝度とほぼ同等になる。
【０１１０】
なお、側面開口部１５の形態は、前述した例には限られない。例えば、図５（ａ）に示すように、矩形状の側面開口部１５を、側面９ｂから、これと接続する底面７にまたがるように一体に連続して形成してもよい。すなわち、側面開口部１５を、断面Ｌ字状に形成してもよい。
【０１１１】
このようにすることで、導光空間２１内で拡散反射した光を、側面開口部１５から、側方のみではなく下方に向けて取り出すことができる。
【０１１２】
また、図５（ｂ）に示すように、側面９ｂと、これと接続する底面７の接続部に、面取り状に両者を斜めに接続する斜面２３を設け、矩形状の側面開口部１５を、側面９ｂから斜面２３にまたがるように連続して形成してもよい。
【０１１３】
このようにしても、導光空間２１内で拡散反射した光を、側面開口部１５から、側方のみではなく下方に向けて取り出すことができる。
【０１１４】
また、前述した実施形態では、側面９ａの内面に直接ＬＥＤ光源１９を配置した例を示したが、本発明はこれに限られない。ＬＥＤ光源１９を、フレキシブルフラット回路に配置してもよい。図６（ａ）は、フレキシブルフラット回路２５の正面図であり、図６（ｂ）は、フレキシブルフラット回路２５の背面図である。
【０１１５】
フレキシブルフラット回路２５は、回路導体（例えば銅箔または銅線により形成された回路）が樹脂（例えばＰＥＴやポリイミド、ポリエチレンナフタレート）で上下面を積層樹脂被覆又は接着されたケーブルである。所定の長さに切断されたフレキシブルフラット回路２５の内部には、少なくとも一対の回路導体が形成されており、ＬＥＤ光源１９を実装したフレキシブルフラット回路２５の端部近傍では、これらの回路導体同士を導通させる導体部材２９が設けられる。導体部材２９は、内部の回路導体と導通する。すなわち、ＬＥＤ光源１９、回路導体と導体部材２９によって配線回路２７が形成される。導体部材２９を用いる代わりに、端部の導体回路を折り曲げて回路導体同志を接続して配線回路２７を形成しても良い。
【０１１６】
また、必要に応じてＬＥＤ光源１９以外に抵抗、ヒューズや電流制限部品などの回路部品が配線回路に組み込むことができる。ここで、積層樹脂がＰＥＴ樹脂の場合には、積層樹脂を接着する接着剤としては、オレフィン系接着剤やポリエステル系接着剤などを使用することができる。
【０１１７】
フレキシブルフラット回路２５には、一つまたは複数のＬＥＤ光源１９が所定の間隔で配置される。ＬＥＤ光源１９の電極端子を、フレキシブルフラット回路２５の表面から、内部の配線回路２７に貫通させてかしめるか、あるいは一方の積層被覆樹脂を剥がして、電極端子と配線回路２７をはんだ付けや低温ろう付け等を行うことで、ＬＥＤ光源１９を実装することができる。
【０１１８】
なお、フレキシブルフラット回路２５とＬＥＤ光源１９とを合わせて、フレキシブルフラット光源２６とする。すなわち、ＬＥＤ光源１９は、フレキシブルフラット回路２５に１つまたは所定間隔で複数実装されて、フレキシブルフラット光源２６を構成する。
【０１１９】
図７（ａ）に示すように、フレキシブルフラット光源２６は、側面９ａの外面に接着剤等によって貼り付けられて接合される。側面９ａには、ＬＥＤ光源１９の発光部の形状に合わせて切欠き部３１ａが形成される。切欠き部３１ａからＬＥＤ光源１９の発光面が導光空間２１に露出する。
【０１２０】
また、図７（ｂ）に示すように、フレキシブルフラット光源２６を、側面９ａの内面に接着剤等によって貼り付けて配置してもよい。この場合、マイクロ発泡樹脂製の反射板３３が、フレキシブルフラット光源２６を覆うように配置される。反射板３３には、ＬＥＤ光源１９の発光部の形状・配置に合わせて１つまたは複数の切欠き部３１ｂが形成される。切欠き部３１ｂからＬＥＤ光源１９の発光面が導光空間２１に露出する。
【０１２１】
このように、フレキシブルフラット光源２６を用いることで、ＬＥＤ光源１９の配置が容易であり、組立作業も容易である。また、フレキシブルフラット光源２６を枠体３の内面に配置する場合には、フレキシブルフラット光源２６を覆う反射板３３を用いることで、導光空間２１内で効率よく拡散反射を起こすことができる。
【０１２２】
また、前述した実施形態では、側面９ｂが、底面７に対して垂直に形成された例を示したが、本発明はこれに限られない。
【０１２３】
図８（ａ）は、側面９ｂが、底面７に対して鋭角に形成された例を示す断面図である。すなわち、側面遮蔽部１７と側面開口部１５は、底面７に対して鋭角に形成される。このようにしても、ＬＥＤ光源１９の光の一部を、底面７に拡散反射させて、拡散反射させた反射光を、天面開口部１１から取り出すことができる。また、ＬＥＤ光源１９の光の一部を、底面７に対して鋭角に形成された側面遮蔽部１７と側面開口部１５に照射して、側面開口部１５から直接照射光を取り出すと同時に、側面遮蔽部１７で反射した後、導光空間２１内で拡散反射させて、側面開口部１５から拡散反射光として取り出すことができる。ここで、ＬＥＤ光源１９からの直接照射光の光束に対する、天面開口部１１、側面開口部１５のそれぞれの開口部から出射される直接光の割合を少なくすることができる。
【０１２４】
図８（ｂ）は、側面９ａが、底面７に対して鋭角に形成された例を示す断面図である。すなわち、ＬＥＤ光源１９の出射方向が、底面７の方向に向けられる。このようにしても、ＬＥＤ光源１９の光の一部を、底面７に拡散反射させて、拡散反射させた反射光を、天面開口部１１で面発光させることができる。また、ＬＥＤ光源１９の光の一部を、底面７に対して鋭角に形成された側面遮蔽部１７と側面開口部１５に照射して、側面開口部１５から直接照射光を取り出すと同時に、側面遮蔽部１７で反射した後、導光空間２１内で拡散反射させて、側面開口部１５から拡散反射光として取り出すことができる。
【０１２５】
なお、側面９ａのみを底面７に対して鋭角に形成し、側面９ｂは、底面７に対して垂直に形成してもよい。また、図示を省略するが、側面９ｃ、９ｄの一方または両方を、底面７に対して鋭角に形成してもよい。
【０１２６】
以上、本実施の形態によれば、ＬＥＤ照明装置１の枠体３が、光反射特性に優れるマイクロ発泡樹脂シート製であるため、枠体３の内面全体を反射板として機能させることができる。また、天面開口部１１と側面開口部１５の互いに直交する二つの面から光を取り出すことができる。この際、導光空間２１を区切ることなく、同一の導光空間２１内で拡散反射した光を、それぞれの開口部から取り出すため、部品点数が少なく、構造が簡易で軽量である。
【０１２７】
また、別途の反射板を設ける必要がないため、取り扱い性が良好であり、組立作業性にも優れる。また、ＬＥＤ光源１９からの直接光を、天面遮蔽部１３（外周遮蔽部１３ａ）で遮蔽するため、ＬＥＤ照明装置１の天面開口部１１の面発光部のグレア感を低減することができる。同様に、ＬＥＤ光源１９の正面に側面遮蔽部１７を設けることで、ＬＥＤ照明装置１の側面開口部１５の面発光部のグレア感を低減することができる。
【０１２８】
このように、ＬＥＤ照明装置１のＬＥＤ光源１９を発光させると、ＬＥＤ光源１９からの光は直接に照射されるのではなく、枠体３の内面における導光空間２１内で拡散反射を繰り返して天面開口部１１および側面開口部１５から照射される。このため、レンズ等を用いることなく、光を均一に拡散させて、外方に照射することができる。
【０１２９】
また、ＬＥＤ光源１９の設置ピッチを適正にすることで、隣り合うＬＥＤ光源１９から照射された光が、側面開口部１５において連続して、ＬＥＤ光源１９の境界が分かりにくく、均一な光を得ることができる。これらの実施例では、枠体の材料としてマイクロ発泡樹脂シートを用いたが、枠体の内面に拡散反射機能を有するシート材料を貼り付けて枠体を形成しても良い。
【０１３０】
次に、第２の実施形態について説明する。図９は、ＬＥＤ照明装置１ａの断面図である。なお、以下の説明において、ＬＥＤ照明装置１と同一の機能を奏する構成については、図１〜図８と同一の符号を付し、重複する説明を省力する。
【０１３１】
ＬＥＤ照明装置１ａは、ＬＥＤ照明装置１とほぼ同様の構成であるが、天面５にフィルム３５と保持板３７が配置される点で異なる。フィルム３５は、例えば、ＰＥＴ（ポリエチレンテレフタレート）製のＰＥＴフィルムであり、金属薄膜がアルミニウムなどの金属が蒸着によって設けられる。フィルム３５は、光を透過する。
【０１３２】
また、フィルム３５の上方には、ＬＥＤ光源１９からの光の光透過率が２０〜３０％の着色された保持板３７が配置される。保持板３７は、例えばアクリル板である。フィルム３５は、保持板３７に貼り付けられ、さらに、フィルム３５が貼り付けられた保持板３７が、天面５に貼り付けられる。なお、本実施形態では、天面開口部１１の内部に、独立した天面遮蔽部１３を形成することもできる。例えば、天面遮蔽部１３に対応する部位のフィルム３５の下面側に、マイクロ発泡樹脂製の反射板を貼り付ければよい。
【０１３３】
図１０（ａ）は、ＬＥＤ光源１９を消灯した状態のＬＥＤ照明装置１ａの平面図である。フィルム３５と保持板３７によって、天面５の天面開口部１１が覆われているため、ＬＥＤ光源１９を消灯した状態では、外部から天面開口部１１の文字や図形を視認することができない。
【０１３４】
なお、図示は省略するが、天面５（天面遮蔽部１３）とフィルム３５の間に、別途の黒色のフィルムを貼り付けてもよい。天面５が白色などの淡色である場合に、天面遮蔽部１３が透けてしまうことを抑制することができる。このように、ＬＥＤ光源１９を点灯しない状態において、フィルム３５に設けられた金属薄膜が視認され、天面開口部１１の形状を視認することができない。
【０１３５】
図１０（ｂ）は、ＬＥＤ光源１９を点灯した状態のＬＥＤ照明装置１ａの平面図である。ＬＥＤ光源１９を点灯すると、導光空間２１内で拡散反射した光の一部が、フィルム３５と保持板３７を透過する。このため、天面開口部１１の形状（複数の図形や文字型）を視認することができる。
【０１３６】
第２の実施形態によれば、第１の実施形態と同様の効果を得ることができる。また、天面開口部１１が塞がれるため、天面開口部１１から内部に異物が侵入することがない。また、ＬＥＤ光源１９の消灯時には、天面開口部１１の形態を視認できないが、ＬＥＤ光源１９を点灯することで、天面開口部１１の図形や文字型を浮かび上がらせることができる。
【０１３７】
次に、第３の実施形態について説明する。図１１は、ＬＥＤ照明装置１ｂの断面図である。ＬＥＤ照明装置１ｂはＬＥＤ照明装置１とほぼ同様の構成であるが、外部枠体３９が用いられる点で異なる。
【０１３８】
ＬＥＤ照明装置１ｂは、ＬＥＤ照明装置１と外部枠体３９とから構成される。外部枠体３９は、略直方体であり、透明または半透明の部材である。すなわち、ＬＥＤ照明装置１ｂは、ＬＥＤ照明装置１が、光取出しが可能な透明の外部枠体３９の内部に収納されることで構成される。
【０１３９】
なお、外部枠体３９の内部には、前述したＬＥＤ照明装置１ａを収納してもよい。また、外部枠体３９は、内部に収容されるＬＥＤ照明装置の形態に合わせて、側面の形状を底面に対して斜めに形成してもよく、側面と底面との境界に斜面を形成してもよい。
【０１４０】
第３の実施形態によれば、第１の実施形態と同様の効果を得ることができる。また、外部枠体３９を用いることで、内部に異物が侵入することを防止することができる。また、枠体３の変形を防止し、枠体３を確実に保護することができる。
【０１４１】
次に、第４の実施形態について説明する。図１２は、ＬＥＤ照明装置１ｃの断面図である。ＬＥＤ照明装置１ｃは、ＬＥＤ照明装置１とほぼ同様であるが、枠体３ａが用いられる点で異なる。
【０１４２】
枠体３ａは、枠体３と同様に、底面７、天面５、底面７と天面５との外周を囲む４方の側面９ａ〜９ｄよりなる略直方体形状である。本実施形態では、枠体３ａは、マイクロ発泡樹脂製ではなく、金属や樹脂などのより剛性を有する部材からなる。また、枠体３と同様に、天面５は、天面遮蔽部１３と相互に離間した光取出し用の複数の天面開口部１１とで形成される。
【０１４３】
枠体３ａの一方の側面９ａの内面側にはＬＥＤ光源１９が配置される。ＬＥＤ光源１９は、１つまたは複数個のＬＥＤ素子を実装したＬＥＤ基板４１からなる。すなわち、ＬＥＤ光源１９は、ＬＥＤ基板４１に１つまたは所定間隔で複数実装されたものである。ＬＥＤ基板４１は、例えばリジッドなガラエポ基板などである。また、ＬＥＤ基板４１および図示を省略したＬＥＤ基板の配線の、導光空間２１に露出する表面は、マイクロ発泡樹脂製の反射板３３で覆われる。すなわち、反射板３３にはＬＥＤ光源１９の発光部の形状に合わせて１つまたは複数の切欠き部３１ｂが設けられ、切欠き部３１ｂからＬＥＤ光源１９の発光面が導光空間２１に露出する。
【０１４４】
また、一方の側面９ａと対向する他方の側面９ｂは、側面遮蔽部１７と、１つ以上の側面開口部１５とが形成される。また、枠体３ａの内面は、天面開口部１１および側面開口部１５を塞がないように、マイクロ発泡樹脂製の反射板３３ａで覆われて、導光空間２１が形成される。
【０１４５】
天面開口部１１および側面開口部１５に対応した場所には、光透過部材４７が各面に密着した状態で配置される。すなわち、天面５と側面９ｂの外面には、光透過部材４７が配置される。
【０１４６】
光透過部材４７は、光を透過する部材であれば、いずれの構成でも良いが、望ましくは、図示したように、金属薄膜４３と光透過板４５とで構成される。金属薄膜４３は、光を透過する程度に薄い箔である。金属薄膜４３を使う場合、破れなどによって壊れやすいので、透明な光透過板４５に貼り付けられて光透過部材４７が構成される。なお、金属薄膜４３は、光透過板４５の内面側に貼り付けられてもよく、金属薄膜４３を一対の光透過板４５で挟み込んでもよい。
【０１４７】
金属薄膜４３は、透明なフィルムなどの基材に薄膜を成膜したフィルムを用いても良い。このように金属薄膜を成膜したフィルムとすることでハンドリングが容易となる。また、光透過部材４７が、光を透過する着色フィルムと、これらを保持する光透過板４５により構成されてもよい。
【０１４８】
なお、金属薄膜４３は、例えばアルミニウム薄膜であり、光透過板４５は、例えばアクリル板である。また、光透過板４５は、例えば、光透過率が２０〜３０％の乳化や着色されたアクリル板であってもよい。
【０１４９】
第４の実施形態によれば、第１の実施形態と同様の効果を得ることができる。また、枠体３ａが剛性のある金属や樹脂製であるため、枠体３ａの変形を抑制することができる。また、枠体３ａの内面は、マイクロ発泡樹脂製の反射板３３ａで覆われるため、導光空間２１内で効率よく拡散反射をさせることができる。
【０１５０】
また、光透過部材４７を用いることで、導光空間２１の内部に異物・液体が侵入することを防止することができる。
【０１５１】
なお、ＬＥＤ基板４１を枠体３ａの一方の側面９ａの外面側に配置してもよい。この場合、側面９ａにはＬＥＤ光源１９の発光部の形状に合わせて１つまたは複数の切欠き部が設けられ、切欠き部からＬＥＤ光源１９の発光面が導光空間２１に露出する。このようにしても、同様の効果を得ることができる。
【０１５２】
次に、本発明にかかるＬＥＤ照明装置の使用例について説明する。本発明にかかるＬＥＤ照明装置は、例えば、自動車ドア枠用の照明装置や、室内装飾用照明装置として特に適している。
【０１５３】
図１３は、ＬＥＤ照明装置１ａが自動車のドアフレーム下部に取り付けられた例を示す。ＬＥＤ照明装置１ａは、天面側を上面に向けて、ドアフレーム下部のステップ近傍に配置される。すなわち、天面開口部１１は、上方に向けて配置される。また、側面開口部１５は、自動車の外側に向けて配置される。
【０１５４】
前述した様に、ＬＥＤ照明装置１ａを消灯した状態では、天面開口部１１の形状は視認できない。このため、ＬＥＤ照明装置１ａの保持板３７は、自動車の内装材の一部として視認される。
【０１５５】
一方、ＬＥＤ照明装置１ａを点灯すると、ステップにおいて、天面開口部１１の形状に応じた図解や文字が浮かび上がる。このため、自動車の加飾用の照明として利用することができる。また、同時に、側面開口部１５からも光が出射する。側面開口部１５から出た光は、自動車のステップ下の足下を照らす。このため、利用者に、自動車のステップの位置や段差があることを認識させることができる。
【０１５６】
また、図１４は、ＬＥＤ照明装置１ａを自動車のドアフレーム下部に取り付けた他の例を示す。コの実施形態では、ＬＥＤ照明装置１ａは、天面側を上面に向けて、ドアフレーム下部のステップ近傍に配置される。また、側面開口部１５は、自動車の内側に向けて配置される。
【０１５７】
本実施形態でも、ＬＥＤ照明装置１ａを消灯した状態では、天面開口部１１の形状は視認できない。このため、ＬＥＤ照明装置１ａの保持板３７は、自動車の内装材の一部として視認される。
【０１５８】
一方、ＬＥＤ照明装置１ａを点灯すると、ステップにおいて、天面開口部１１の形状に応じた図解や文字が浮かび上がる。このため、自動車の加飾用の照明として利用することができる。また、同時に、側面開口部１５からも光が出射する。側面開口部１５から出た光は、自動車の室内の足下を照らす。このため、利用者に、自動車のステップの位置や段差があることを認識させることができる。
【０１５９】
なお、図示した例では、ＬＥＤ照明装置１ａの例を示したが、ＬＥＤ照明装置１ａ以外のＬＥＤ照明装置も当然に適用可能である。また、ＬＥＤ照明装置は、他の部位や他の使用方法で利用することができることは言うまでもない。
【０１６０】
以上、添付図を参照しながら、本発明の実施の形態を説明したが、本発明の技術的範囲は、前述した実施の形態に左右されない。当業者であれば、特許請求の範囲に記載された技術的思想の範疇内において各種の変更例または修正例に想到し得ることは明らかであり、それらについても当然に本発明の技術的範囲に属するものと了解される。
【０１６１】
たとえば、前述した各実施形態同士は互いに組み合わせることができることは言うまでもない。
【符号の説明】
【０１６２】
１、１ａ、１ｂ、１ｃ………ＬＥＤ照明装置
３、３ａ………枠体
５………天面
７………底面
９ａ、９ｂ、９ｃ、９ｄ………側面
１１………天面開口部
１２………窓材
１３………天面遮蔽部
１３ａ………外周遮蔽部
１３ｂ………開口部間遮蔽部
１３ｃ………開口部内遮蔽部
１５………側面開口部
１７………側面遮蔽部
１９………ＬＥＤ光源
２１………導光空間
２３………斜面
２５………フレキシブルフラット回路
２６………フレキシブルフラット光源
２７………配線回路
２９………導体部材
３１ａ、３１ｂ………切欠き部
３３、３３ａ………反射板
３５………フィルム
３７………保持板
３９………外部枠体
４１………ＬＥＤ基板
４３………金属薄膜
４５………光透過板
４７………光透過部材
【要約】      （修正有）【課題】簡易な構造で二方向に光を照射することが可能なＬＥＤ照明装置を提供する。【解決手段】ＬＥＤ照明装置１は、主に、枠体３、ＬＥＤ光源１９等からなる。枠体３は、底面、天面５、底面と天面５との外周を囲む４方の側面９ａ、９ｂ、９ｃ、９ｄよりなる略直方体形状である。枠体３は、マイクロ発泡樹脂製の反射板で形成される。天面５は、天面遮蔽部１３と、相互に離間した光取出し用の複数の天面開口部１１とで形成される。底面に対して直角に形成された一方の側面９ａには、ＬＥＤ光源が配置される。ＬＥＤ光源が配置される側面９ａと対向し、底面に対して直角に形成される他方の側面９ｂには、複数の側面開口部１５が形成される。側面９ｂは、側面開口部１５と、側面遮蔽部１７とで形成される。枠体３は、天面５と側面９ｂに形成された天面開口部１１および側面開口部１５以外が全て反射板で遮蔽される。【選択図】図２【図１】
0006012836.tif 000002
【図２】
0006012836.tif 000003
【図３】
0006012836.tif 000004
【図４】
0006012836.tif 000005
【図５】
0006012836.tif 000006
【図６】
0006012836.tif 000007
【図７】
0006012836.tif 000008
【図８】
0006012836.tif 000009
【図９】
0006012836.tif 000010
【図１０】
0006012836.tif 000011
【図１１】
0006012836.tif 000012
【図１２】
0006012836.tif 000013
【図１３】
0006012836.tif 000014
【図１４】
0006012836.tif 000015